(57)【要約】第１のパーティ（１０）に、第２のパーティ（４０）についての個人的情報を、遠隔通信ネットワーク（３０）を介して、これらのパーティの間で呼を確立するのを完成させるのに先立って、供給するための方法が、ネットワーク（３０）において提供される。この方法は、ネットワーク（３０）内のロケーション（２４）に、第１のパーティ（１０）のためにいくつかのレコードを格納し、各レコードは、或る特定の第２のパーティと関係する特定の個人的情報を、その特定の第２のパーティに対応する識別子に関連付けること、第１のパーティ（１０）のために、ネットワーク（３０）内で呼が処理されると、処理されている呼の第２のパーティ（４０）の識別子が、第１のパーティ（１０）のためにレコードが格納されているロケーションの中の識別子と合致するかどうかを確認すること、およびネットワーク（３０）内で処理されている呼における第２のパーティ（４０）の識別子が、第１のパーティ（１０）のためにレコードが格納されているロケーションの中の識別子と実際に合致した場合、対応するレコードの中でその合致する識別子に関連する個人的情報を含む告知を、第１のパーティ（１０）に再生し、この告知は、それらのパーティの間で呼を確立するのに先立って、第１のパーティ（１０）に再生されることを含む。
2011512109.tif 000002
【特許請求の範囲】
【請求項１】
第１のパーティ（１０）に、第２のパーティ（４０）についての個人的情報を、遠隔通信ネットワーク（３０）を介して前記パーティの間で呼を確立することを完成させるのに先立って、供給するための方法であって、
（ａ）前記ネットワーク（３０）内のロケーション（２４）に、前記第１のパーティ（１０）のためにいくつかのレコードを格納し、各レコードは、或る特定の第２のパーティ（４０）と関係する特定の個人的情報を、その特定の第２のパーティ（４０）に対応する識別子に関連付けるステップと、
（ｂ）前記第１のパーティ（１０）のために、前記ネットワーク（３０）内で呼が処理されると、処理されている前記呼の前記第２のパーティ（４０）の識別子が、前記第１のパーティ（１０）のために前記レコードが格納されている前記ロケーション（２４）の中の識別子と合致するかどうかを確認するステップと、
（ｃ）前記ネットワーク（３０）内で処理されている前記呼における前記第２のパーティ（４０）の前記識別子が、前記第１のパーティ（１０）のために前記レコードが格納されている前記ロケーション（２４）の中の識別子と実際に合致した場合、対応するレコードの中で前記合致する識別子に関連する前記個人的情報を含む告知を、前記第１のパーティ（１０）に再生し、前記告知は、前記パーティの間で前記呼を確立するのに先立って、前記第１のパーティ（１０）に再生されるステップとを備えることを特徴とする方法。
【請求項２】
前記第１のパーティは、処理されている前記呼に関する発呼パーティであり、さらに前記第２のパーティは、処理されている前記呼に関する被呼パーティである請求項１に記載の方法。
【請求項３】
前記第２のパーティは、処理されている前記呼に関する発呼パーティであり、さらに前記第１のパーティは、処理されている前記呼に関する被呼パーティである請求項１に記載の方法。
【請求項４】
前記告知が前記第１のパーティに再生されている間、前記第２のパーティにリングバックをもたらすステップをさらに備える請求項３に記載の方法。
【請求項５】
前記ネットワークは、前記方法が実施されるインターネット・プロトコル・マルチメディア・サブシステムを含む請求項１に記載の方法。
【請求項６】
第１のパーティ（１０）に、第２のパーティ（４０）についての個人的情報を、遠隔通信ネットワーク（３０）を介して前記パーティの間で呼を確立することを完成させるのに先立って、供給するためのシステムであって、
前記ネットワーク（３０）内のロケーション（２４）に、前記第１のパーティのためにいくつかのレコードを格納するための手段であって、各レコードは、或る特定の第２のパーティ（４０）と関係する特定の個人的情報を、その特定の第２のパーティ（４０）に対応する識別子に関連付ける手段と、
前記第１のパーティ（１０）のために、前記ネットワーク（３０）内で呼が処理されると、処理されている前記呼の前記第２のパーティ（４０）の識別子が、前記第１のパーティ（１０）のために前記レコードが格納されている前記ロケーション（２４）の中の識別子と合致するかどうかを確認するための手段と、
前記ネットワーク（３０）内で処理されている前記呼における前記第２のパーティの前記識別子が、前記第１のパーティ（１０）のために前記レコードが格納されている前記ロケーション（２４）の中の識別子と実際に合致した場合、前記合致する識別子を含む対応するレコードの中で関連する前記個人的情報を含む告知を、前記第１のパーティ（１０）に再生するための手段であって、前記告知は、前記パーティの間で前記呼を確立するのに先立って、前記第１のパーティ（１０）に再生される手段とを備えることを特徴とするシステム。
【請求項７】
前記第１のパーティは、処理されている前記呼に関する発呼パーティであり、さらに前記第２のパーティは、処理されている前記呼に関する被呼パーティである請求項６に記載のシステム。
【請求項８】
前記第２のパーティは、処理されている前記呼に関する発呼パーティであり、さらに前記第１のパーティは、処理されている前記呼に関する被呼パーティである請求項６に記載のシステム。
【請求項９】
前記告知が前記第１のパーティに再生されている間、前記第２のパーティにリングバックをもたらすための手段をさらに備える請求項８に記載のシステム。
【請求項１０】
前記ネットワークは、前記システムが実施されるインターネット・プロトコル・マルチメディア・サブシステムを含む請求項６に記載のシステム。
【発明の詳細な説明】
【技術分野】
【０００１】
本発明の主題は、電話の技術に関する。或るタイプの遠隔通信ネットワークおよび／またはＵＥ（ユーザ機器）に関連して特定の用途が見出され、本明細書は、その特定の用途を特に参照する。しかし、本発明の主題の態様は、他の同様のネットワーク、デバイス、および／またはアプリケーションにも適用され得ることを認識されたい。
【背景技術】
【０００２】
無線および／または陸線の遠隔通信ネットワークは、一般に、当技術分野においてよく知られており、様々な加入者またはエンド・ユーザに電話サービスおよび／または他の遠隔通信サービスを提供するのによく使用される。認識され得るとおり、電話は、商取引を行うエンド・ユーザ、および社会的な呼を行う個人に便利な通信手段を提供する。様々な状況において、電話呼の一方のパーティ、または両方のパーティ（すなわち、発呼パーティおよび／または被呼パーティ）が、相手パーティとの会話を始めるのに先立って、相手パーティについてのいくらかの個人的情報または個人的事実を所望するのが普通である。例えば、情報を所望するパーティは、情報を所望する、その特定のパーティが、さもなければ、自身の記憶からその情報を思い出すことができない場合に、困惑を避けるため、親近感を深めるためなど、後に続く会話において、その情報を使用することを欲する可能性がある。第１のパーティが所望する可能性がある、第２のパーティに関するそのような個人的情報または個人的事実の例には、第２のパーティの別名またはニックネーム、第２のパーティの家族の名前および／または年令、第２のパーティの業務パートナおよび／または業務提携先の名前、第２のパーティの誕生日、結婚記念日、および／または関心のある他の日付、第２のパーティのアドレス、第２のパーティと関係する業務関係情報および／または顧客関係情報が含まれるが、以上には限定されない。第１のパーティが所望する可能性がある他の情報または事実は、第２のパーティに重要なイベント、例えば、第２のパーティが、最近、或る特定の場所で休暇を過ごした、またはもうすぐ休暇を過ごすことと関係することが可能である。第２のパーティとの会話の直前に、第２のパーティについてのそのような個人的情報および／または個人的事実を想起させられることにより、第１のパーティは、例えば、より個人的なレベル、および／またはより親密なレベルで、すなわち、第２のパーティについての重要な個人的詳細を忘れている、または誤って記憶していることによる困惑のリスクを抱え込まずに、後に続く会話を始めることができる。
【０００３】
限られた数の親しい友人、近親、および／または他の重要な関係に関して、多くの人々は、当該の相手についての個人的情報および／または個人的事実を、例えば、その相手に電話呼を行う、またはその相手から電話呼を受ける場合などの、所望される場合に、思い出すことができる。しかし、多くの関係者（例えば、ふとした知り合い、および／または大多数の業務連絡先）に関して、個人は、すべての相手に関連するすべての個人的情報および／または個人的事実を憶えている、さらに／または思い出すことが到底、できない。したがって、様々な連絡先についての関係のある情報および／または事実を記録する記憶支援が、通常、使用される。例えば、様々な連絡先についての個人的情報および／または個人的事実が、ＰＤＡ（携帯情報端末）、Ｒｏｌｏｄｅｘ（登録商標）デバイスもしくは他の従来のアドレス帳、またはコンピュータＤＢ（データベース）の中にさえ保持されることが可能である。特に、個人は、様々な連絡先に関連する個人的情報および／または個人的事実を常に把握しておくのに、その個人のラップトップ・コンピュータまたはデスクトップ・コンピュータの上で実行される市販のコンピュータ・プログラムまたはコンピュータ・アプリケーション（例えば、Ｍｉｃｒｏｓｏｆｔ（登録商標）Ｏｆｆｉｃｅ  Ｏｕｔｌｏｏｋ（登録商標）などの）を、しばしば、使用する。例えば、コールセンタなどの、より大型の商用アプリケーションにおいて、ＣＲＭ（カスタマ・リレーションシップ・マネージメント）ポータルが、コールセンタによるサービスを受ける様々な顧客についての顧客関係情報を保持するのに、一般に、使用される。
【０００４】
概して役に立つが、前述のメモリ支援は、様々な欠点および／または限界を有する。特に、ＣＲＭポータルは、例えば、費用のため、さらに／または通常の個人が、従来のＣＲＭポータルを実施するのに一般に使用される適切なリソース（すなわち、ハードウェア、ソフトウェアなど）に容易にアクセスすることができないため、一般に、個人による使用には実際的ではない。さらに、前述したタイプの他の従来のメモリ支援を使用する際、個人は、例えば、電話呼を行うのに先立って、所望される連絡先情報および／または個人的事実をルックアップするのに、デバイス（すなわち、コンピュータ、ＰＤＡ、Ｒｏｌｏｄｅｘ（登録商標）デバイスなど）を、通常、手動で使用しなければならない。このことには、発呼パーティで余計なステップがかかわるだけでなく、被呼パーティによるそのようなメモリ支援の使用は、例えば、被呼パーティが、発呼パーティの身元を知らない可能性があり、さらに被呼パーティが、発呼パーティの身元を知っている（例えば、発信者電話番号表示を介して）場合でさえ、被呼パーティは、着信する呼に応答し、さらに／または発呼パーティとの会話を始めなければならなくなるのに先立って、メモリ支援にアクセスする十分な時間を有さない可能性があるため、通常、好都合ではない。
【０００５】
前述したタイプの従来のメモリ支援を使用して、さらに他の問題に直面する可能性がある。例えば、エンド・ユーザ・ロケーションにおいて実施される前述したメモリ支援デバイスなどは、ときとして、所望される際、すなわち、電話呼を行う、または受ける際に、アクセスできない可能性がある。例えば、そのデバイスが、紛失する、またはそれ以外で誤った場所に置かれる可能性があり、したがって、デバイスは、エンド・ユーザに利用できない限りにおいて、デバイスの意図される目的を適切に果たすことができない。別の欠点は、時とともに、一部のメモリ支援デバイスは、時代遅れとなる可能性があり、次世代デバイスへの個人的連絡先情報の同期および／または転送が、サポートされない、または容易に達せられない可能性がある。
【発明の概要】
【発明が解決しようとする課題】
【０００６】
したがって、前述した問題、およびその他の問題を克服する、電話呼の第１のパーティに、その呼の第２のパーティについての個人的情報および／または個人的事実を、その２つのパーティを接続するのに先立って、提供するための新たな、改良された方法および／またはシステムが、開示される。
【課題を解決するための手段】
【０００７】
一実施形態によれば、第１のパーティに、第２のパーティについての個人的情報を、遠隔通信ネットワークを介して、この２つのパーティの間で呼を確立することを完成させるのに先立って、供給するための方法が、そのネットワークにおいて提供される。この方法は、ネットワーク内の或るロケーションに、第１のパーティのためにいくつかのレコードを格納し、各レコードは、或る特定の第２のパーティと関係する特定の個人的情報を、その特定の第２のパーティに対応する識別子に関連付けること、第１のパーティのために、ネットワーク内で呼が処理されると、処理されている呼の第２のパーティの識別子が、第１のパーティのためにレコードが格納されているロケーションの中の識別子と合致するかどうかを確認すること、およびネットワーク内で処理されている呼における第２のパーティの識別子が、第１のパーティのためにレコードが格納されているロケーションの中の識別子と実際に合致した場合、対応するレコードの中でその合致する識別子に関連する個人的情報を含む告知を、第１のパーティに再生し、この告知は、それらのパーティの間で呼を確立するのに先立って、第１のパーティに再生されることを含む。
【０００８】
別の実施形態によれば、第１のパーティに、第２のパーティについての個人的情報を、遠隔通信ネットワークを介して、それらのパーティの間で呼を確立することを完成させるのに先立って、供給するためのシステムが、そのネットワークにおいて提供される。このシステムは、ネットワーク内の或るロケーションに、第１のパーティのためにいくつかのレコードを格納するための手段であって、各レコードは、或る特定の第２のパーティと関係する特定の個人的情報を、その特定の第２のパーティに対応する識別子に関連付ける手段と、第１のパーティのために、ネットワーク内で呼が処理されると、処理されている呼の第２のパーティの識別子が、第１のパーティのためにレコードが格納されているロケーションの中の識別子と合致するかどうかを確認するための手段と、ネットワーク内で処理されている呼における第２のパーティの識別子が、第１のパーティのためにレコードが格納されているロケーションの中の識別子と実際に合致した場合、その合致する識別子を含む、対応するレコードの中の関連する個人的情報を含む告知を、第１のパーティに再生するための手段であって、この告知は、それらのパーティの間で呼を確立するのに先立って、第１のパーティに再生される手段とを含む。
【０００９】
本明細書で開示される本発明の主題の多数の利点および利益は、本明細書を読み、理解することで、当業者には明白となろう。
【００１０】
本発明の主題は、様々な構成要素、および構成要素の構成、ならびに様々なステップ、およびステップの構成の形態をとることが可能である。図面は、好ましい実施形態を例示することを目的としているに過ぎず、限定するものと解釈されるべきではない。さらに、図面は、一律の縮尺に従っていないことを認識されたい。
【図面の簡単な説明】
【００１１】
【図１】本明細書で開示されるＰＮＳ（電話ノート・サービス）に関する動作のプロビジョニング段階を実行するために適切に利用され得る例示的なネットワーク構成を示すブロック図である。
【図２】ＰＮＳ動作のプロビジョニング段階に関する例示的な呼フローを示すポスト・アンド・レイル図である。
【図３】本明細書で開示されるＰＮＳ（電話ノート・サービス）に関する動作の実行段階を実行するために適切に利用され得る例示的なネットワーク構成を示すブロック図である。
【図４】加入者が被呼パーティである、ＰＮＳ動作の実行段階に関する例示的な呼フローを示すポスト・アンド・レイル図である。
【図５】加入者が発呼パーティである、ＰＮＳ動作の実行段階に関する例示的な呼フローを示すポスト・アンド・レイル図である。
【図６】発呼パーティと被呼パーティの両方が加入者である、ＰＮＳ動作の実行段階に関する例示的な呼フローを示すポスト・アンド・レイル図である。
【図７】本発明の主題の態様を実施するために適切に利用され得るＩＭＳに関する３ＧＰＰ／３ＧＰＰ２調和型アーキテクチャを示すブロック図である。
【図８Ａ】加入者が被呼パーティである、ＩＭＳ内で実施される場合のＰＮＳの動作の実行段階に関する例示的な呼フローを示すポスト・アンド・レイル図である。
【図８Ｂ】加入者が被呼パーティである、ＩＭＳ内で実施される場合のＰＮＳの動作の実行段階に関する例示的な呼フローを示すポスト・アンド・レイル図である。
【図８Ｃ】加入者が被呼パーティである、ＩＭＳ内で実施される場合のＰＮＳの動作の実行段階に関する例示的な呼フローを示すポスト・アンド・レイル図である。
【発明を実施するための形態】
【００１２】
簡明のため、本明細書は、構造上および／または機能上の要素、関係のある通信標準、通信プロトコル、および／または通信サービス、および当技術分野で一般に知られている他の構成要素を、本明細書で提示される好ましい実施形態に従って、さらに／またはそのような実施形態に対応するように変形または変更されている場合を除き、構成または動作についてのさらなる詳細な説明なしに、参照するものとする。
【００１３】
一般に、本明細書は、本明細書で名目上、ＰＮＳ（電話ノート・サービス）と呼ばれる遠隔通信サービスが、１名または複数名の加入者、例えば、個人、または他のそのようなエンド・ユーザに提供される、方法および／またはシステムを説明する。適切には、ＰＮＳは、発呼パーティと被呼パーティのいずれか、または両方に、もちろん、それぞれのパーティが、サービスの有効な加入者であるという条件付きで、利用可能であるように実施される。
【００１４】
より具体的には、ＰＮＳは、適切な遠隔通信ネットワーク内で、例えば、被呼パーティ・サービング・ノード（すなわち、呼終端側）、発呼パーティ・サービング・ノード（すなわち、呼発信側）、および／またはそれ以外の場所でサポートされる。１つの例示的な実施形態において、ＰＮＳは、本明細書の後段で説明されるとおり、ＩＭＳ（ＩＰ（インターネット・プロトコル）マルチメディア・サブシステム）をサポートするネットワークにおいて実施される。しかし、より一般的には、ＰＮＳは、ＩＭＳ以前のネットワークおよび／または他の無線ネットワーク、ならびに陸線ネットワーク、または以上の何らかの適切な組合せにも同様に適用可能であり、さらに／または以上のようなネットワークにおいて同様に提供されることも可能である。
【００１５】
要するに、ＰＮＳは、加入者（すなわち、第１のパーティ）が、１つまたは複数の「ノート」または「メモ」を、選択された第２のパーティに属する１つまたは複数の指定された電話番号などに関連付けることを許す。適切には、これらのノートまたはメモは、加入者によって作成され、例えば、指定された電話番号が属する特定の第２のパーティについての個人的情報および／または個人的事実を含むことが可能である。特に、これらのノートまたはメモに含まれる適切な個人的情報および／または個人的事実の例には、第２のパーティの別名またはニックネーム、第２のパーティの家族の名前および／または年令、業務パートナまたは業務提携先の名前、第２のパーティの誕生日、結婚記念日、および／または関心のある他の日付、第２のパーティのアドレス、第２のパーティと関係する業務関係情報および／または顧客関係情報が含まれるが、以上には限定されない。他の適切な個人的情報および／または個人的事実は、第２のパーティに重要なイベント、例えば、第２のパーティが、最近、或る特定の場所で休暇を過ごした、またはもうすぐ休暇を過ごすこと、第２のパーティ、または第２のパーティの家族が、或る特定の学校をもうすぐ卒業する、または最近、卒業したこと、第２のパーティにもうすぐ子供が生まれる、または最近、生まれたことなどと関係することが可能である。
【００１６】
したがって、加入者が、対応するノートまたはメモが関連付けられている、指定された電話番号から呼を受けると、発呼パーティを加入者に接続することに先立って、その対応するノートまたはメモが、加入者に配信される。同様に、加入者が、対応するノートまたはメモが関連付けられている、指定された電話番号に呼を行うと、加入者を被呼パーティに接続することに先立って、その対応するノートまたはメモが、加入者に配信される。このようにして、加入者は（加入者が発呼パーティであるか、被呼パーティであるかにかかわらず）、加入者が、相手パーティとの会話を始めなければならなくなるのに先立って、呼の相手パーティについての個人的情報および／または個人的事実の配信されたノートおよび／またはメモによって思い出させられる。さらに、本明細書で説明される仕方でＰＮＳを実施することにより、例えば、前段の背景技術セクションで説明される、他の従来のメモリ支援に関連する問題が軽減される。
【００１７】
実際には、ＰＮＳは、オプションとして、本明細書で名目上、プロビジョニング段階および実行段階とそれぞれ呼ばれる、２つの段階で実施される。プロビジョニング段階において、加入者が、ＰＮＳを利用して、１つまたは複数の所望されるノートおよび／またはメモを作成し、さらにこのノートおよび／またはメモを、１つまたは複数の指定された電話番号に関連付ける。その後、実行段階において、ＰＮＳが、加入者への、このノートおよび／またはメモの配信を制御し、さらに／または実行する。
【００１８】
図１は、ＰＮＳ動作のプロビジョニング段階を実行するのに適した例示的なネットワーク構成を示す。図示されるとおり、加入者１０が、適切なエンド・ユーザ・デバイスまたはＵＥ（ユーザ機器）１２（例えば、電話機などの）を選択的に使用して、適切な遠隔通信ネットワーク３０、例えば、無線ネットワークもしくは陸線ネットワーク、または無線ネットワークと陸線ネットワークの何らかの組合せを介して、ＰＮＳ２０にアクセスする。当業者には認識され得るとおり、プロビジョニング段階中、ＵＥ１２は、加入者１０とＰＮＳ２０の間の、後段で説明される対話および／または通信を選択的に許すように、通常の仕方でネットワーク３０に動作上、接続される。例えば、ＰＮＳ２０の動作のプロビジョニング段階に入るようにＰＮＳ２０にアクセスするために、加入者１０は、オプションとして、規定の電話番号もしくはフィーチャ・コードをダイヤル呼び出しする、またはそれ以外で、ＵＥ１２を使用して適切な入力を入力する。したがって、ネットワーク３０は、加入者１０が、所望されるサービスを適切にプロビジョニングすることができるように、すなわち、加入者１０が、加入者１０の様々なノートおよび／またはメモを適切に作成し、さらに／またはそれ以外で管理することができるように、加入者１０をＰＮＳ２０に動作上、接続する。
【００１９】
図示される実施形態において、ＰＮＳ２０は、オプションとして、加入者１０とＰＮＳ２０の間の対話を円滑にするのに使用されるＩＶＲ（対話型音声応答）ユニット２２を備える、またはそれ以外でそのようなＩＶＲユニット２２にアクセスを有する。さらに、ＰＮＳ２０は、オプションとして、加入者のノートおよび／またはメモが保存される、さらに／またはそれ以外で保持されるＤＢ（データベース）２４、または他の同様のストレージ・ロケーションも備える、またはそれ以外でそのようなＤＢ２４またはロケーションにもアクセスを有する。もちろん、ＩＶＲユニット２２は、前述した加入者／ＰＮＳ対話をもたらすように使用され得る可能な唯一の手段ではないことが、当業者には認識されよう。例えば、他のオプションの実施形態は、ＳＭＳ（ショート・メッセージ・サービス）テキスト・プロビジョニング、ウェブ・プロビジョニング法およびＷＡＰプロビジョニング法、加入者に代行して、このデータを入力するようＣＳＲを呼び出すことなどを含むが、以上には限定されない、ＰＮＳ２０をプロビジョニングするための方法および／または手段を使用することが可能である。
【００２０】
図２は、加入者１０が、指定された電話番号に関連付けられるべき新たなノートまたはメモを作成する、ＰＮＳ２０のプロビジョニング段階動作中の、加入者１０とＰＮＳ２０の間の例示的な対話を示す。この例で示されるとおり、プロビジョニング段階動作は、加入者１０がＰＮＳ２０にアクセスして、ステップ１００で始まる。実際には、ステップ１００は、オプションとして、ＵＥ１２を使用する加入者１０がＩＶＲユニット２２に呼を行うことによって、例えば、規定の電話番号もしくはフィーチャ・コードをダイヤル呼び出しすること、またはそれ以外で適切な入力を入力することによって、実行される。ステップ１０２で、加入者１０が、認証される。例えば、加入者１０は、オプションとして、パスワード、ユーザＩＤ，および／または他の認証資格証明を入力するよう、ＩＶＲユニット２２によって促されることが可能である。オプションとして、ＰＮＳ２０は、ＡＮＩ（自動番号識別）または別の同様のサービスまたはフィーチャを使用して、加入者１０および／またはＵＥ１２のＩＤを特定することが可能である。いずれにしても、加入者１０が、加入者１０の認証資格証明をサブミットし、さらに／またはそれ以外で認証資格証明を求める要求に応じると、その供給された資格証明が、ＰＮＳ２０または適切な付属サービスによって検証されて、加入者１０が認証される。
【００２１】
加入者１０が適切に認証されたものと想定すると、次にステップ１０４で、加入者１０に、オプションとして、加入者１０によって１つまたは複数が選択されることが可能な選択肢のメニュー、すなわち、「トップ・レベル」メニューが（例えば、ＩＶＲユニット２２を介して）提示される。トップ・レベル・メニューは、オプションとして、例えば、新たなノートまたはメモを作成する、さらに／または追加する選択肢、ならびに加入者の既存のノートおよび／またはメモを削除する、編集する、さらに／またはそれ以外で管理する選択肢を含む。
【００２２】
図示される例において、ステップ１０６で、加入者１０は、トップ・レベル・メニューから、新たなノートまたはメモを追加する選択肢を選択する。したがって、ステップ１０８で、ＰＮＳ２０は、作成されている新たなノートまたはメモに関連付けられることを加入者が所望する電話番号または他の同様のアドレスを入力するよう、（例えば、ＩＶＲユニット２２を介して）加入者１０を促す。このプロンプトに応答して、ステップ１１０で、加入者１０が、ＵＥ１２を用いて、例えば、ＤＴＭＦ（デュアル・トーン・マルチ周波数）エントリを使用して、ＰＮＳ２０に、所望される電話番号を入力し、さらに／またはそれ以外でサブミットする。ステップ１１２で図２に示されるとおり、加入者１０によってサブミットされた電話番号を受け取った後、ＰＮＳ２０は、その特定の電話番号に関連付けられるべき、所望されるノートまたはメモを入力するよう、加入者１０を（例えば、ＩＶＲユニット２２を介して）促す。
【００２３】
適切には、ステップ１１２で与えられるプロンプトに応答して、加入者１０が、ステップ１１４で、前もって供給された電話番号に関連付けられることを加入者１０が所望するノートまたはメモを、ＰＮＳ２０に入力し、さらに／またはそれ以外でサブミットする。例えば、ＵＥ１２を介して、加入者１０は、オプションとして、例えば、適切なオーディオ・ファイル・フォーマットで、ＰＮＳ２０によって記録される、またはそれ以外でキャプチャされるノートまたはメモを発言する、または唱える。
【００２４】
電話番号を受け取り、ノートまたはメモを関連付けると、ＰＮＳ２０は、加入者１０のために、ＤＢ２４の中に関係のあるデータおよび／または情報を格納する。認識され得るとおり、ＤＢ２４は、複数の類似する加入者に関する複数のエントリを格納するように適切な備えを有する。したがって、ＤＢ２４は、オプションとして、例えば、ＵＥ１２のデバイスＩＤ（すなわち、ＭＳＩＳＤＮ（Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ  Ｎｕｍｂｅｒ）、ＳＩＰ（セッション開始プロトコル）または他のＵＲＩ（統一資源識別子）、電話番号など）であることが可能な、対応する加入者ＩＤまたはユーザＩＤによって特定の加入者に合わせられる。
【００２５】
概念上、ＤＢ２４の中の加入者データまたはユーザ・データは、オプションとして、以下の形態をとる。すなわち、
【００２６】
【表１】
2011512109.tif 000003
【００２７】
図示される例において、ユーザＩＤは、後続のレコードを、或る特定の加入者、すなわち、この例では、電話番号（１２３）４５６−７８９０を有する加入者に属するものとして識別する。さらに、各レコードが、特定の電話番号（例えば、１１２−２３３４、２２１−１２２３、２２１−３２２１など）を特定のノートまたはメモ（例えば、ノートＮ１、ノートＮ２など）に関連付ける。もちろん、オプションとして、同一の電話番号を有する複数のエントリまたはレコードが、存在してもよく、あるいはそれ以外で、任意の所与の１つの電話番号に関連する複数のノートが、存在してもよい。同様に、任意の特定の１つのノートが、任意の１つまたは複数の電話番号に関連付けられてもよい。いずれにしても、認識され得るとおり、動作のプロビジョニング段階において、加入者１０は、ＰＮＳ２０と対話して、すなわち、加入者１０が、前述したとおり、指定された電話番号、および対応するノートおよび／またはメモをＰＮＳ２０に供給することによって、ＤＢ２４の中の前述のデータおよび／または情報を構築し、さらに／またはそれ以外で管理する。
【００２８】
ＰＮＳ２０は、呼確立段階中に加入者に告知を再生することを認識されたい。呼が確立されている間、呼確立段階に適用される、ネットワークにおいて活性のタイマが、存在する。したがって、発呼パーティおよび／または被呼パーティに告知を再生することに費やされる時間の総計は、一般に、そのようなネットワーク・タイマを定期的にリセットする特定の対策がＰＮＳによってとられない限り、そのようなタイマを超えない可能性がある。したがって、１つのオプションの実施形態において、ＭＳＩＳＤＮに固有の、再生されるべき告知の総計が、或る事前指定された、さらに／または構成可能な時間を超えないことを確実にすることによって、このタイマ問題がプロビジョニング段階において回避されることが構想される。例えば、実際には、この時間は、呼の各側に関して約１０秒である。
【００２９】
したがって、動作の実行段階中、加入者１０が、加入者１０のユーザＩＤの下にあるＤＢ２４の中の指定された電話番号リストから呼を受ける、またはそのような電話番号リストに呼を行うと、ＰＮＳ２０は、その呼を相手パーティ、すなわち、その指定された電話番号が属するパーティを相手に呼を接続するのに先立って、加入者１０に、関連するノートまたはメモを配信する。例えば、加入者１０（電話番号、（１２３）４５６−７８９０を有する）が、番号、１１２−２３３４、すなわち、この事例においてアリスに属する電話番号に呼を行う、またはその番号から呼を受けるものと想定されたい。適切には、ＰＮＳ２０が、発信元（すなわち、（１２３）４５６−７８９０）により、加入者１０が識別されると認識すると、その呼を代行受信する。したがって、ＰＮＳ２０は、その加入者のユーザＩＤの下でＤＢ２４を照会して、被呼番号または発呼番号（すなわち、１１２−２３３４）がＤＢ２４においてリストアップされているかどうかを判定する。この例において、被呼番号または発呼番号は、実際、その加入者のユーザＩＤの下にあるレコードの中でリストアップされている。したがって、加入者１０とアリスの間で呼を接続するのに先立って、ＰＮＳ２０は、その指定された番号に関連するＤＢ２４の中のノート（すなわち、この事例では、ノートＮ１）を加入者１０に再生し、さらに／またはそれ以外で配信する。このようにして、アリスとの会話を始めなければならなくなる前に、加入者１０は、アリスの配偶者がボブであり、彼女は、１２月４日にスキー休暇を計画していた、または計画したことを思い出させられる。
【００３０】
次に図３を参照すると、ＰＮＳ動作の実行段階を実行するのに適した例示的なネットワーク構成が、示されている。図示されるとおり、加入者１０は、ＵＥ１２を再び使用して、ＰＮＳ２０をサポートするネットワーク３０を介して、電話呼を選択的に行い、さらに／または受ける。やはり、図３に示されているのが、場合により、電話呼が行われる、または電話呼を受ける別のパーティ４０である。この例で示されるとおり、パーティ４０は、ＵＥ４２（例えば、電話機、または他の適切なエンド・ユーザ機器）を使用して、その呼に参加する。当業者には認識され得るとおり、実行段階中、ＵＥ１２とＵＥ４２は、加入者１０、別のパーティ４０、およびＰＮＳ２０の間の、後段で説明される対話および／または通信を選択的に許すように、通常の仕方でネットワーク３０に動作上、接続される。
【００３１】
やはり、図３に示されているのが、加入者１０に選択されたノートおよび／またはメモを再生するため、および／または配信するためにＰＮＳ２０によって利用されるＭＲＦ（メディア・リソース機能）２６である。適切には、ＭＲＦ２６は、ＰＮＳ２０がＩＭＳアプリケーションにおいて実施されると、使用される。しかし、他のアプリケーションおよび／またはネットワーク環境において、他の同様の機能および／または物理的要素および／または構成要素が、同様の仕方で適切に使用されてもよい。
【００３２】
いずれにしても、実行段階中、加入者１０は、発呼パーティであっても、被呼パーティであってもよく、したがって、別のパーティ４０が、相手の立場をとる。したがって、次に、ＰＮＳ２０の実行段階動作が、これら２つの事例のそれぞれを参照して説明される。
【００３３】
図４は、加入者１０が被呼パーティであり、別のパーティ４０が発呼パーティである事例におけるＰＮＳ動作の実行段階の例を示す。図示されるとおり、この事例におけるＰＮＳ動作の実行段階は、発呼パーティ４０が、ネットワーク３０を介して加入者１０に呼を行って、ステップ２００で始まる。例えば、この呼は、発呼パーティが、ＵＥ４２を介して加入者の電話番号をダイヤル呼び出しすることによって、通常の仕方で行われることが可能である。
【００３４】
ステップ２０２で、ＰＮＳ２０が、被呼電話番号、つまり、終端電話番号が、加入者１０に属する、さらに／またはそれ以外で加入者１０を識別することを認識すると、その呼を代行受信する。したがって、ＰＮＳ２０は、その加入者のユーザＩＤの下でＤＢ２４を照会して、発呼番号、つまり、発信元番号がＤＢ２４においてリストアップされているかどうかを判定する。この例において、発呼番号、つまり、発信元番号は、実際、加入者のユーザＩＤの下にあるレコードの中でリストアップされているものと想定される。したがって、ステップ２０４で、ＰＮＳ２０は、呼処理の完了を待つ間、発呼パーティ４０にリングバックをもたらす「肯定応答」メッセージ、または他の適切なシグナルを戻す。
【００３５】
一方、ステップ２０６で、ＰＮＳ２０は、加入者１０に呼を行う。加入者１０が、その呼に応答すると（例えば、ＵＥ１２を使用して）、ステップ２０８で、ＰＮＳ２０は、対応する発呼番号、つまり、発信元番号に関連付けられた、ＤＢ２４の中に格納されたノートまたはメモを再生する、またはそれ以外で配信する（例えば、ＭＲＦ２６を使用して）。適切には、ノートまたはメモの再生および／または配信が完了した後、ステップ２１０で、ＰＮＳ２０は、発呼パーティ４０を加入者１０に接続し、ループから抜けて、これらのパーティを、所望に応じて自由に会話させる。
【００３６】
図５は、加入者１０が発呼パーティであり、別のパーティ４０が被呼パーティである事例におけるＰＮＳ動作の実行段階の例を示す。図示されるとおり、この事例におけるＰＮＳ動作の実行段階は、加入者１０が、ネットワーク３０を介して被呼パーティ４０に呼を行って、ステップ３００で始まる。例えば、この呼は、加入者１０が、ＵＥ１２を介して被呼パーティの電話番号をダイヤル呼び出しすることによって、通常の仕方で行われることが可能である。
【００３７】
ステップ３０２で、ＰＮＳ２０が、発呼電話番号、つまり、発信元電話番号が、加入者１０に属する、さらに／またはそれ以外で加入者１０を識別することを認識すると、その呼を代行受信する。したがって、ＰＮＳ２０は、その加入者のユーザＩＤの下でＤＢ２４を照会して、被呼番号、つまり、終端番号がＤＢ２４においてリストアップされているかどうかを判定する。この例において、被呼番号、つまり、終端番号は、実際、加入者のユーザＩＤの下にあるレコードの中でリストアップされているものと想定される。したがって、ステップ３０４で、ＰＮＳ２０は、対応する被呼番号、つまり、終端番号に関連付けられた、ＤＢ２４の中に格納されたノートまたはメモを再生する、またはそれ以外で配信する（例えば、ＭＲＦ２６を使用して）。
【００３８】
適切には、ノートまたはメモの再生および／または配信が完了した後、ステップ３０６で、ＰＮＳ２０は、被呼パーティ４０に呼を行う。被呼パーティ４０が、その呼に応答すると（例えば、ＵＥ４２を使用して）、ステップ３０８で、ＰＮＳ２０は、加入者１０を被呼パーティ４０に接続し、ループから抜けて、これらのパーティを、所望に応じて自由に会話させる。
【００３９】
もちろん、実際には、被呼パーティと発呼パーティの両方がＰＮＳ２０の加入者である事例が、存在する可能性がある。したがって、そのような事例において、当業者によって認識され得るとおり、図４および図５を参照して説明されるステップの組合せが、オプションとして、両方のパーティにサービスを提供するのに使用されることが可能である。しかし、発呼パーティ加入者にリングバックを提供することは、この時間中に発呼パーティ加入者は自らのノートまたはメモを受け取るので、オプションとして、省かれてもよい。
【００４０】
図６は、発呼パーティ（すなわち、パーティ１０）と被呼パーティ（すなわち、パーティ４０）がともにＰＮＳの加入者である事例におけるＰＮＳ動作の実行段階の例を示す。図示されるとおり、この事例におけるＰＮＳ動作の実行段階は、加入者１０が、ネットワーク３０を介して被呼パーティ４０（やはり、加入者）に呼を行って、ステップ４００で始まる。例えば、この呼は、加入者１０が、ＵＥ１２を介して被呼パーティの電話番号をダイヤル呼び出しすることによって、通常の仕方で行われることが可能である。
【００４１】
ステップ４０２で、ＰＮＳ２０は、発呼電話番号、つまり、発信元電話番号が、加入者１０に属する、さらに／またはそれ以外で加入者１０を識別することを認識すると、その呼を代行受信する。したがって、ＰＮＳ２０は、その加入者のユーザＩＤの下でＤＢ２４を照会して、被呼番号、つまり、終端番号がＤＢ２４においてリストアップされているかどうかを判定する。この例において、被呼番号、つまり、終端番号は、実際、加入者のユーザＩＤの下にあるレコードの中でリストアップされているものと想定される。したがって、ステップ４０４で、ＰＮＳ２０は、対応する被呼番号、つまり、終端番号に関連付けられた、ＤＢ２４の中に格納されたノートまたはメモを再生する、またはそれ以外で配信する（例えば、ＭＲＦ２６を使用して）。
【００４２】
その一方で、ステップ４０６で、ＰＮＳ２０は、被呼電話番号、つまり、終端電話番号もやはり、加入者（すなわち、この実例では、パーティ４０）に属し、さらに／またはそれ以外で加入者を識別することをさらに認識する。したがって、ＰＮＳ２０は、その加入者のユーザＩＤ（すなわち、パーティ４０のユーザＩＤ）の下でＤＢ２４を照会して、発呼番号、つまり、発信元番号がＤＢ２４においてリストアップされているかどうかを判定する。この例において、発呼番号、つまり、発信元番号は、実際、パーティ４０のユーザＩＤの下にあるレコードの中でリストアップされているものと想定される。したがって、ステップ４０８で、ＰＮＳ２０は、被呼パーティ４０を呼び出し、さらにステップ４１０で、ＰＮＳ２０は、対応する発呼番号、つまり、発信元番号に関連付けられた、ＤＢ２４の中に格納されたノートまたはメモを再生する、またはそれ以外で配信する（例えば、ＭＲＦ２６を使用して）。
【００４３】
適切には、それぞれのパーティ１０および４０への、それぞれのノートまたはメモの再生および／または配信が完了した後、ステップ４１２で、ＰＮＳ２０は、加入者１０を被呼パーティ４０に接続し、ループから抜けて、これらのパーティを、所望に応じて自由に会話させる。
【００４４】
１つの適切な代替の実施形態において、ＤＢ２４の中に格納されたノートまたはメモの１つまたは複数は、指定された電話番号に加えて、或る特定の日付および／または時間に関連することも可能である。したがって、ＰＮＳ２０は、加入者１０が、ＤＢ２４の中で示される時刻および／または日付で、またはそのような時刻および／または日付の近くで、関連付けられた電話番号から呼を行った、または受けた際に限って、対応するノートまたはメモを配信するようにトリガされる。この代替の実施形態において、問題の時刻および／または日付は、オプションとして、ＰＮＳ動作のプロビジョニング段階中に加入者１０によって設定されてもよい。例えば、適切なプロンプトおよび応答が、オプションとして、ＩＶＲユニット２２を介して与えられ、さらに／または収集されてもよい。
【００４５】
概念上、ＤＢ２４の中の時刻および／または日付に左右されるエントリおよび／またはレコードは、オプションとして、以下の形態をとる。すなわち、
【００４６】
【表２】
2011512109.tif 000004
【００４７】
図示される例において、ユーザＩＤは、この場合も、後続のレコードを、或る特定の加入者、すなわち、この例では、電話番号（１２３）４５６−７８９０を有する加入者に属するものとして識別する。さらに、各レコードが、特定の電話番号（例えば、２２２−３３４４、２２１−３２２１など）を、特定の日付にも関連付けられた特定のノートまたはメモ（例えば、ノートＮ１、ノートＮ２など）に関連付ける。いずれにしても、認識され得るとおり、動作のプロビジョニング段階において、加入者１０は、ＰＮＳ２０と対話して、すなわち、加入者１０が、指定された電話番号、日付、および対応するノートおよび／またはメモをＰＮＳ２０に供給することによって、ＤＢ２４の中の前述のデータおよび／または情報を構築し、さらに／またはそれ以外で管理する。
【００４８】
したがって、動作の実行段階中、加入者１０が、加入者１０のユーザＩＤの下にあるＤＢ２４の中の指定された電話番号リストから、もしくはその特定のレコードに関連付けられた時刻または日付の近くで、呼を受ける、またはそのような電話番号リストに、もしくはその特定のレコードに関連付けられた時刻または日付の近くで、呼を行うと、ＰＮＳ２０は、その呼を相手パーティ、すなわち、その指定された電話番号が属するパーティを相手に呼を接続するのに先立って、加入者１０に、関連するノートまたはメモを配信する。
【００４９】
例えば、加入者１０（電話番号（１２３）４５６−７８９０を有する）が、番号２２２−３３４４、すなわち、この事例では、ジョーに属する電話番号に電話呼を行う、またはそのような電話番号から電話呼を受けるものと想定されたい。適切には、ＰＮＳ２０は、発信元電話番号または終端電話番号（すなわち、（１２３）４５６−７８９０）により加入者１０が識別されることを認識すると、その呼を代行受信する。したがって、ＰＮＳ２０は、その加入者のユーザＩＤの下でＤＢ２４を照会して、被呼番号または発呼番号（すなわち、２２２−３３３４）がＤＢ２４において、リストアップされているかどうかを判定する。この例において、被呼番号または発呼番号は、実際、その加入者のユーザＩＤの下にあるレコードの中でリストアップされている。さらに、ＰＮＳ２０は、ＤＢ２４の中の対応する日付を確認して、その日付が、現在の日付と合致するかどうか、または現在の日付のいくらかの設定された許容差の範囲内にあるかどうかも判定する。現在の日付が、或る特定のレコードに関してＤＢ２４の中の指定された日付と十分に合致するという条件付きで、ＰＮＳ２０は、その呼を加入者１０に接続するのに先立って、加入者１０に再生するため、または配信するための対応するノートまたはメモを選択する。例えば、この事例において、呼が、５月５日に、またはこの日の近くで行われた場合、加入者１０とジョーの間で呼を接続するのに先立って、ＰＮＳ２０は、指定された電話番号、および指定された日付に関連付けられた、ＤＢ２４の中のノート（すなわち、この事例では、ノートＮ１）を、加入者１０に再生し、さらに／またはそれ以外で配信する。代替として、呼が、６月１９日に、またはこの日の近くで行われた場合、加入者１０とジョーの間で呼を接続するのに先立って、ＰＮＳ２０は、指定された電話番号、および指定された日付に関連付けられた、ＤＢ２４の中のノート（すなわち、この事例では、ノートＮ２）を、加入者１０に再生し、さらに／またはそれ以外で配信する。もちろん、呼が、他の何らかの日付で行われた場合、ＰＮＳ２０は、適切な日付マッチが見つからなかったという理由で、加入者１０にノートまたはメモを再生する、または配信することを全くしない可能性がある。このようにして、ジョーを相手に会話を始めなければならなくなる前に、加入者１０は、ジョーについての適時の個人的情報、すなわち、その呼がいつ行われるかに応じて、場合により、ジョーの誕生日、またはジョーの結婚記念日であることを思い出させられる。
【００５０】
ＰＮＳ２０の動作および／または実施を説明する目的で、いくつかの例が本明細書で使用されるが、しかし、本明細書が強調するのは、内部データ構造および／または内部データ表現、あるいは個々の加入者がＰＮＳ２０を利用することが可能な様々な仕方ではないことを認識されたい。むしろ、関心対象であるのは、呼を行う、または呼を受ける時点で、またはそのような時点の近くで、ただし、それでも、続いて行われる会話を始めなければならなくなる前に、加入者に、相手パーティについての関係のある個人的情報および／または個人的事実の迅速な要約を自動的に提供するために、特定のノートおよび／またはメモを特定の電話番号、または他の同様のアドレスに関連付け、さらにこの情報を、ネットワーク３０において格納しておくこと、またはそれ以外で利用可能にしておくことである。特に、前述した基本的な呼モデルの発信側で提供されるサービス（例えば、３Ｇ（第３世代）ネットワーク、ならびにＩＭＳネットワークおよび他のネットワークにも拡張可能である）に関して、加入者１０からの呼発信は、迅速な分析のために捕捉され、呼が完成に進むことを許される前に、ＳＲＦ（特化したリソース機能）が、格納されたノートを加入者１０に読み上げる可聴の告知を提供する。同様に、前述した基本的な呼モデルの終端側で提供されるサービス（やはり、３Ｇ（第３世代）ネットワーク、ならびにＩＭＳネットワークおよび他のネットワークにも拡張可能である）に関して、呼終端の試みは、呼確立にとりかかる前に、被呼パーティに呼固有の告知を提供するよう、ＰＮＳ２０によってＳＲＦが命令される、サービス呼出しをトリガする。
【００５１】
本明細書を読み、理解することで認識され得るとおり、ＰＮＳ２０のいくつかの顕著な利点は、以下を含むが、以下には限定されない。すなわち、
・サービス・プロバイダ・ネットワークにおいてサービスを実施するのに複雑なセットアップが実行される必要が全くなく、使用が容易であること、
・ほとんどの事例において、サービス・プロバイダ・ネットワークにおいて、このサービスを実施するのに既存のネットワーク要素で十分である、
・加入者が、特化したＣＰＥ（顧客宅内機器）を全く有する必要なしに、このサービスを使用することができる、
・サービス使用が、ユビキタスである、つまり、サービス実行のために特定の電話タイプが使用される必要が全くない
・サービス・プロバイダのネットワークにノートまたはメモを集中格納することにより、呼が行われる、または受けられる際に、加入者が、他のメモリ支援に別個にアクセスする必要なしに、ノートおよび／またはメモがリアルタイムで再生される、またはそれ以外で配信されることが可能になる。また、集中格納は、ユーザ・デバイスまたはユーザ機器がアップグレードされた、または変更された際に、ユーザが、ストレージを変更する必要がなく、ノートは、引き続き新たなデバイスに適用されるという利点も提供する。
【００５２】
前述したとおり、１つの適切な実施形態において、ＰＮＳ２０は、ＩＭＳネットワークにおいて実施される。したがって、次に、そのような実施の例が、説明される。それでも、このサービスは、ＩＭＳ以前のネットワーク、および他の無線および／または有線のネットワークにおいても同様にうまく実施され得ることを認識されたい。
【００５３】
以下の説明、および／または関連する図において、本明細書の別の箇所で特定される頭字語に加えて、以下の１つまたは複数の頭字語が使用されることが可能であることに留意されたい。
３ＧＰＰ  第３世代パートナーシップ・プロジェクト
３ＧＰＰ２  第３世代パートナーシップ・プロジェクト２
ＡＡＡ  認証／許可／アカウンティング
ＡＳ  アプリケーション・サーバ
ＢＧＣＦ  ブレークアウト・ゲートウェイ制御機能
ＣＳＣＦ  呼セッション制御機能
Ｉ−ＣＳＣＦ  インテロゲーティングＣＳＣＦ
Ｓ−ＣＳＣＦ  サービングＣＳＣＦ
Ｐ−ＣＳＣＦ  プロキシＣＳＣＦ
ＨＳＳ  ホーム加入者サーバ
ＩＦＣ  初期フィルタ基準
ＭＧＣＦ  メディア・ゲートウェイ制御機能
ＭＧＷ  メディア・ゲートウェイ
ＭＲＦＣ  メディア・リソース機能コントローラ
ＭＲＦＰ  メディア・リソース機能ポイント
ＯＳＡ  オープン・サービス・アーキテクチャ
ＰＤＦ  ポリシー決定機能
ＰＤＮ  公共データ・ネットワーク
ＰＤＳ  パケット・データ・サブシステム
ＰＬＭＮ  公共陸上移動ネットワーク
ＰＳＴＮ  公衆交換電話網
ＲＡＮ  無線アクセス・ネットワーク
ＲＴＰ  リアルタイム・プロトコル
ＲＴＳＰ  リアルタイム・ストリーミング・プロトコル
ＳＣＳ  サービス能力サーバ
ＳＤＰ  セッション記述プロトコル
ＳＩＰ  セッション開始プロトコル
【００５４】
次に図７を参照すると、ＩＭＳに関する３ＧＰＰ／３ＧＰＰ２調和型アーキテクチャが示されており、適切には、ＰＮＳは、ＳＩＰ−ＡＳ上で実行されるアプリケーションとして構成される。図７は、参照のために本明細書で与えられるが、ＩＭＳの一般的な構成および／または動作は、概ね、本明細書の範囲外にある。さらに、従来のＩＭＳの一般的な構成および／または動作は、当業者に概して知られている。したがって、ＩＭＳ、またはＩＭＳの動作のさらなる詳細な説明は、ＰＮＳがＩＭＳにおいてどのように実施されることが可能であるかを、例として説明するのに適切な場合を除いて、全く与えられない。
【００５５】
適切には、ＰＮＳを、ネットワーク内で動作させ、さらに／またはそれ以外でサービスのプロビジョニングを行うのに、行われる手続きは、他のサービスの場合と同一である。特に、サービス加入は、ＨＳＳにおいて規定されるＩＦＣを含めることによって、示される。実際には、ＨＳＳは、特定の加入者が有するすべてのサービスおよび／または許可についての情報を含み、さらにＨＳＳは、加入者が呼を発信した際、またはこの加入者への呼終端に先立って、調べられる。したがって、ＰＮＳは、適切には、この事例において、ＩＦＣの中で現れる。
【００５６】
前述したとおり、ＰＮＳは、発信側（すなわち、加入者が発呼パーティである）で、または終端側（すなわち、加入者が被呼パーティである）で、あるいは両方の側で提供されることが可能である。３つすべてのシナリオが、企図され、ＩＭＳ環境内の適切な実施を介して容易に実現可能であるが、本明細書で３つすべてのシナリオを説明することは、過度に面倒である。いずれにしても、発信側と終端側では、おそらく、より複雑な部分は、終端側のサービスを説明することである。したがって、一般性を失うことなしに、終端側サービス例が、図８Ａ〜図８Ｃを参照して本明細書で説明される。それでも、この例を読み、理解すると、当業者は、このサービスをどのように実施して、発信側動作、ならびに両方の側の動作をサポートすべきかを認識すること、および／または理解することができる。
【００５７】
図８Ａ〜図８Ｃを参照すると、この例では、ＵＥ−１（発呼パーティを表す）が、ＵＥ−２（被呼パーティを表す）に呼を行っているものと想定される。また、被呼パーティ（すなわち、この事例では、図８Ａ〜図８ＣにおいてＵＥ−２によって表されるＰＮＳ加入者）は、発呼パーティ（図８Ａ〜図８ＣにおいてＵＥ−１によって表される）が呼び出した場合のためにＤＢ２４の中に格納されるノートまたはメモを記録している（例えば、図１に示されるＩＶＲユニット２２を介して）ものと想定されたい。つまり、例えば、図１および図２に関連して前述した動作のプロビジョニング段階中に、ＰＮＳ加入者（すなわち、この事例では、ＵＥ−２）が、所望されるノートまたはメモ、ならびにそのノートが関連付けられるべきパーティ、すなわち、この事例では、発呼パーティＵＥ−１の電話番号をＰＮＳ２０に供給している。したがって、そのノートと、関連する電話番号の両方が、現時点で、ＤＢ２４の中に格納されている。この例に関して、ＰＮＳ２０は、この特定のノートまたはメモを、ＤＢ２４の中に加入者ＵＥ−２のためのプライベート・オーディオ・ファイルまたはプライベート・オーディオ・データとして格納しており、さらにこのオーディオ・ファイルの名前は、「ＰｈｏｎｅＮｏｔｅｓＦｏｒＵＥ１．ｇ７１１」であり、ただし、ファイル名拡張子は、このノートを記録するために使用されたＣＯＤＥＣ（コーダ／デコーダ）を示すものとさらに想定される。
【００５８】
この場合、ＰＮＳ動作の終端側が説明されている（すなわち、被呼パーティが、サービス加入者である）ので、図示されるメッセージ・フローは、被呼パーティ側で呼インスタンスが出現するより前には、ネットワーク要素および／またはネットワーク対話を含まない。ＩＭＳネットワークにおいて、このことは、通常、ＵＥ−１およびＵＥ−２のそれぞれのネットワークにＵＥ−１およびＵＥ−２を登録すること、Ｓ−ＣＳＣＦに、ＨＳＳからＩＦＣをダウンロードさせること、および通信のためにＵＥにＩＰアドレスを割り当てることを必然的に伴う。当業者には認識されるとおり、このことは、標準の動作であり、適切には、ここで説明される実施形態は、登録プロセス・ステップおよび認証プロセス・ステップに全く変更を行わない。
【００５９】
前述したとおり、以下の説明は、終端する呼側でＰＮＳを実施するのに適した実行ステップの例を与え、つまり、この例では、被呼パーティは、ノートまたはメモに関連付けられた特定の発呼パーティが、被呼パーティを呼び出した際に、リアルタイムでそのノートまたはメモを聞くことになるサービス加入者として示される。
【００６０】
次に図８Ａ〜８Ｃを参照すると、メッセージおよび／またはショットの図示されるシーケンスは、この例のＰＮＳ実行段階に関する呼フローを示し、さらに以下の説明において、番号が付けられたステップは、図８Ａ〜図８Ｃに示される同様の番号が付けられたメッセージおよび／またはショットに対応する。
【００６１】
最初、この例示的なシナリオは、ＰＮＳを終端側サービスとして例示することが注目される。したがって、発信側のＵＥ−１とＣＳＣＦの間の対話は、図示も、説明もされない。さらに、以下の説明から認識されるとおり、ＵＥ−１からＵＥ−２に行われた呼が確立されるのに先立って、被呼パーティ（ＵＥ−２）、ＰＮＳ加入者、およびＭＲＦの間でベアラ・パスが、確立される。さらに、Ｐ−ＣＳＣＦ要素およびＩ−ＣＳＣＦ要素は、簡明のため、この場合、示されない。それでも、これらの要素の参加および／または役割は、依然として、当業者には認識され、さらに／または理解されよう。特に、ＵＥによって送信される、または受信されるメッセージは、一般に、専用のＰ−ＣＳＣＦを介して伝送され、さらにＩＮＶＩＴＥ要求は、ターゲットＳ−ＣＳＣＦがまだ知られていない場合に、Ｉ−ＣＳＣＦを介して伝送されることが認識されよう。さらに、一部の事例において、ＵＥ−１およびＵＥ−２が、同一のＣＳＣＦによるサービスを受けることが可能であり、その場合、発呼ＣＳＣＦと被呼ＣＳＣＦは、マージする、またはそれ以外で一体であることが可能である。
【００６２】
ステップ１）ＵＥ−１が、呼を開始し、この呼は、関連するＳＤＰ情報を有するＳＩＰ  ＩＮＶＩＴＥとしてＳ−ＣＳＣＦ−２において終端側で現れる。
【００６３】
ステップ２）ＵＥ−２に関するＩＦＣに基づいて、Ｓ−ＣＳＣＦ−２が、ＰＮＳアプリケーションをホストし、さらに／または実行するＳＩＰ−ＡＳに、このＳＩＰ  ＩＮＶＩＴＥを転送する。認識され得るとおり、被呼パーティ（すなわち、ＵＥ−２）にサービスを提供するＳＩＰ−ＡＳは、さらなる電話サービスを実行することができる。しかし、この事例では、呼阻止は、オンにされておらず、ＩＮＶＩＴＥは、実際、エンドポイントに送られる。
【００６４】
ステップ３〜８）アプリケーション・サーバが、被呼パーティ（ＵＥ−２）に警報し、ＳＤＰを交換する。被呼パーティ・デバイスが、ステップ７でリンギングの指示を送り返すと、ＳＩＰ−ＡＳが、ステップ８で、このこと発呼パーティ（ＵＥ−１）に反映させる。ＵＥ−１は、このメッセージを受信すると、（ローカルの）リンギングを発呼パーティに提供する。
【００６５】
ステップ９および１０）これらのステップは、ＵＥ−２が、ステップ３で送られたＳＩＰ  ＩＮＶＩＴＥに応答して、オフフックになったこと（ステップ９）を示し、この指示は、ＳＩＰ−ＡＳに与えられる（ステップ１０）。
【００６６】
この時点で、ＡＳは、ＵＥ−２が、ＰＮＳをイネーブルにしたと判定している。この例において、ＰＮＳは、活性であり、したがって、ＩＮＶＩＴＥは、ＭＲＦに送られる。ＭＲＦは、ＵＥ−１とＵＥ−２の間の呼の確立に先立って、ＵＥ−２に再生される、またはそれ以外で配信されるべき告知（すなわち、選択されたノートまたはメモ）に対するポインタを受け取る。もちろん、保留中である、または選択された告知が全く存在しない（すなわち、ＤＢ２４の中に、探索基準を満たす、または相手パーティの電話番号に関連付けられたノートまたはメモが、全く存在しない）場合、ＩＮＶＩＴＥは、ＭＲＦに向わず、呼完成は、ＰＮＳが、呼処理から完全に外れて、通常どおり進められる。しかし、この例では、ＤＢ２４の中に、ＵＥ−１、すなわち、発呼パーティの電話番号に関連するノートまたはメモが、存在する。したがって、その特定のノートまたはメモを含む告知が、実際、ＵＥ−２に再生される、またはそれ以外で配信される。
【００６７】
ステップ１１および１２）この場合、ＰＮＳアプリケーションは、ＭＲＦ機能を呼び出して、被呼パーティのための呼固有のノートを再生する。例えば、ＰＮＳは、相手パーティ、すなわち、この事例では、ＵＥ−１の電話番号と合致する電話番号に関する加入者のユーザＩＤの下で、ＤＢ２４の中を調べることによって、ＵＥ−２に配信すべきノートまたはメモを識別し、したがって、ＰＮＳ２０は、対応するレコードの中のノートまたはメモを選択する。通常、ＭＳＣＭＬ（メディア・サーバ制御マークアップ言語）プロトコルおよび／またはＮｅｔａｎｎ（ネットワーク告知）プロトコルが、ＡＳ側からＭＲＦを呼び出すために使用される。この単純化された例において、「ｓｉｐ：ａｎｎｃ」は、告知が、「ｍｒｆ．ｅｘａｍｐｌｅ．ｎｅｔ」によって識別されるメディア・サーバによって再生されるべきであることを示し、この告知に関するＵＲＩは、「ｈｔｔｐ」を介してフェッチされるべき「Ｓｅｒｖｅｒ１／ＵＥ２／ＰｈｏｎｅＮｏｔｅｓＦｏｒＵＥ１．ｇ７１１」である。この呼に関するノートまたはメモを含むファイル名は、前述したとおり、ＰｈｏｎｅＮｏｔｅｓＦｏｒＵＥ１．ｇ７１１であることを認識されたい。さらに、この例示的なＵＲＩは、各加入者が、発呼者固有の告知を格納するための加入者固有の領域またはファイル・パスを有することを示す。しかし、実際には、適切な実施形態は、格納を最適化するように任意のハッシング／索引付け／バケット分割スキームまたは他の適切なスキームを使用することができる。
【００６８】
また、ＵＥ−２からのＳＤＰが、これらのステップにおいてオファーとしてＭＲＦに伝送されることに留意されたい。ＳＤＰは、これらのステップにおいて、ＳＩＰ  ＩＮＶＩＴＥの中のＮｅｔａｎｎペイロードによって示される告知を再生するポートマップをＭＲＦに提供する。
【００６９】
ステップ１３および１４）ＭＲＦが、ＳＤＰに応答して、選択されたノートまたはメモの再生のための告知機能を提供する気があることを示す。
【００７０】
ステップ１５および１６）アプリケーション・サーバが、ＵＥ−２に向けて早期メディア・セッションを開始する（ＵＥ−２に関して呼はまだ確立されていないことに留意されたい）。
【００７１】
ステップ１７および１８）ＵＥ−２が、ＰＲＡＣＫメッセージを介して信頼できる仮の肯定応答を送ることによって応答する。
【００７２】
ステップ１９および２０）この段階で、アプリケーションは、ＭＲＦが、早期メディアを送る用意があること、およびＵＥ−２が、この早期メディアを受信する用意があることを知る。したがって、アプリケーションは、２００  ＯＫメッセージを介して、メディア再生を開始するようＭＲＦにシグナリングする。
【００７３】
ステップ２１）ＭＲＦとＵＥ−２の間で終端間ベアラ・パスが、確立される（ＭＲＦは、ステップ１１および１２でＭＲＦに送られたＳＤＰにおいて、ＰＮＳアプリケーション・サーバからＳＰＤの中で伝えられた、ＵＥ−２に関するポートマップ情報を有することに留意されたい）。
【００７４】
ステップ２２および２３）告知再生が終了すると、ＭＲＦが、ＢＹＥを送ることによって解体を開始する。実際には、ＵＥ−２への実際の告知再生（ステップ２１）は、ＵＥ−１が、ＵＥ−２に対する呼確立を待っているので、何らかの限られた期間を超えない。
【００７５】
この時点で、ＵＥ−２は、配信されたノートまたはメモを聞いており、ＵＥ−１とＵＥ−２の間で呼を確立すべき時となっている。ＭＲＦは、そのノートまたはメモを含む告知を再生した後、会話から外れていることに留意されたい。また、ＵＥ−１は、ＵＥ−２のＳＤＰを含むＳＤＰアンサーを有する。ＰＮＳは、ＵＥ−２からの２００  ＯＫも有し、したがって、ＵＥ−１とＵＥ−２の間の呼確立は、大幅に簡略化される。
【００７６】
ステップ２４および２５）この場合、ＳＤＰオファー−アンサーが、完了しているので（ステップ８参照）、ＡＳが、ＵＥ−１に送り返される２００  ＯＫを送る。
【００７７】
ステップ２６）ＵＥ−１が、ＡＣＫを介して、この２００  ＯＫに肯定応答する。
【００７８】
ステップ２７）現時点で、ＵＥ−１とＵＥ−２の間で終端間ベアラ・パスが、確立される。
【００７９】
ステップ２８および２９）会話が終わると、ＵＥ−１またはＵＥ−２が、呼解体を開始することができ、デバイスの一方からＢＹＥが送られ（この場合、ＵＥ−１が、ステップ２８でＢＹＥを送ることが図示される）、次に、他方のデバイスが、このＢＹＥにＯＫを送る（この場合、ＵＥ−２が、ステップ２９でＯＫを送ることが図示される）。
【００８０】
本明細書で提示される特定の例示的な実施形態に関連して、いくつかの構造上および／または機能上の特徴は、規定される要素および／または構成要素に組み込まれているものとして説明されることを認識されたい。しかし、これらの特徴は、同一の、または同様の利点で、適宜、他の要素、および／または他の構成要素に同様に組み込まれることも可能であることが企図される。また、例示的な実施形態の様々な態様は、所望されるアプリケーションに適した他の代替の実施形態を実現するのに適したように、選択的に使用されることが可能であり、したがって、これらの他の代替の実施形態は、本明細書に組み込まれた態様のそれぞれの利点を実現することも認識されたい。
【００８１】
また、本明細書で説明される特定の要素または構成要素は、ハードウェア、ソフトウェア、ファームウェア、または以上の組合せを介して適切に実施される機能を有することが可能であることも認識されたい。さらに、一緒に組み込まれるものとして本明細書で説明されるいくつかの要素は、適切な状況の下で、スタンドアロンの要素である、またはそれ以外で分割されることが可能であることも認識されたい。同様に、１つの特定の要素によって実行されるものとして説明される複数の特定の機能が、個々の機能を実行するように独立して動作する複数の別々の要素によって実行されてもよく、あるいはいくつかの個々の機能が、分割されて、協調して動作する複数の別々の要素によって実行されてもよい。代替として、さもなければ、互いに別々のものとして説明され、さらに／または示される一部の要素または構成要素が、適宜、物理的に、または機能上、組み合わされてもよい。
【００８２】
要するに、本明細書は、好ましい実施形態に関連して説明されてきた。明らかに、本明細書を読み、理解すると、変形形態、および代替形態が、他の人々に想起されよう。本発明は、すべてのそのような変形形態および代替形態を、それらの変形形態および代替形態が、添付の特許請求の範囲、または均等の範囲の中に含まれる限りにおいて、含むものと解釈されることを意図している。
【図１】
2011512109.tif 000005
【図２】
2011512109.tif 000006
【図３】
2011512109.tif 000007
【図４】
2011512109.tif 000008
【図５】
2011512109.tif 000009
【図６】
2011512109.tif 000010
【図７】
2011512109.tif 000011
【図８Ａ】
2011512109.tif 000012
【図８Ｂ】
2011512109.tif 000013
【図８Ｃ】
2011512109.tif 000014
【国際調査報告】
2011512109.tif 000015
2011512109.tif 000016